(57)【要約】【課題】スクリーン、ホワイトボード等の表示機能と、筆記具等を収容する収容部とを一体的に組込み、空間の有効利用と外観性の向上を図ることが可能な表示機能付き間仕切装置を提供する。【解決手段】支柱や横桟によって形成された支持フレームＡの表裏両面にパネル板５を取付けてなる間仕切装置であって、スクリーン、ホワイトボード、黒板、掲示板、フラットディスプレイから選ばれた１種又は２種以上の表示機能を備えた表示パネル６を、パネル板と共に支持フレームに取付け、表示パネルの下縁に沿った支持フレーム内の空間に収容部７を設け且つ収容部の前面を覆う開閉可能なカバーパネル８を設け、表示パネルとカバーパネルをパネル板と略面一になるように設定した。【選択図】        図２
2004300835.tif 000002
【特許請求の範囲】
【請求項１】
支柱や横桟によって形成された支持フレームの表裏両面にパネル板を取付けてなる間仕切装置であって、スクリーン、ホワイトボード、黒板、掲示板、フラットディスプレイから選ばれた１種又は２種以上の表示機能を備えた表示パネルを、前記パネル板と共に支持フレームに取付けるとともに、前記表示パネルの下縁に沿った支持フレーム内の空間に筆記具等の収容部を設け且つ該収容部の前面を覆う開閉可能なカバーパネルを設け、前記表示パネルとカバーパネルを前記パネル板と略面一になるように設定したことを特徴とする表示機能付き間仕切装置。
【請求項２】
前記表示パネルがホワイトボードを兼用したスクリーンパネルである請求項１記載の表示機能付き間仕切装置。
【請求項３】
前記スクリーンパネルは、アルミホーロー鋼板の周囲を鍔付きのエッジ部材で外覆し、前記エッジ部材の鍔を利用して前記支持フレームに取付けてなる請求項２記載の表示機能付き間仕切装置。
【請求項４】
前記スクリーンパネルは、少なくともアルミホーロー鋼板の上下端を裏面側に折曲して、前記パネル板と同程度の厚さを有する上下縁部を形成し、該上下縁部をエッジ部材で外覆してなる請求項３記載の表示機能付き間仕切装置。
【発明の詳細な説明】
【０００１】
【発明の属する技術分野】
本発明は、表示機能付き間仕切装置に係わり、更に詳しくはスクリーン、ホワイトボード、あるいはフラットディスプレイ等の表示機能が組み込まれた間仕切装置に関するものである。
【０００２】
【従来の技術】
従来、投影用のスリーン面を設置する場合、ロール式スクリーン又は置き式スクリーンを壁面部に沿って設置したり、壁掛けスクリーンを壁面部に掛けて設けていた。しかし、何れの場合も壁面部からスクリーン部分が出っ張るので、室内空間を狭くし、つまりスクリーン設置空間が必要であり、またスクリーンを使用しない場合にはそれを収納する作業と収納空間が必要である。
【０００３】
また、講演会場や講義室等においては、黒板をスライド移動させると、その背後に投影用スクリーンとしても使用可能なホワイトボードが出現するといった壁面組込み式のものも存在する。
【０００４】
尚、本出願人の先願に係る特許文献１には、机と複数の収納庫と複数のパネルとによって構成され、前記収納庫とパネルで区画された空間に机を設置し、該空間に臨む収納庫の背面側にホワイトボード着脱可能且つ取り付け位置変更可能に取付てなる構造が開示されている。
【０００５】
【特許文献１】特開２００３−０７９４５３号公報（図１）
【０００６】
【発明が解決しようとする課題】
本発明が前述の状況に鑑み、解決しようとするところは、スクリーン、ホワイトボード、黒板、掲示板、フラットディスプレイ等の表示機能と、筆記具やマーカー等を収容する収容部とを一体的に組込むとともに、これらがパネル板と略面一になるように設けて出っ張りを無くし、空間の有効利用と外観性の向上を図ることが可能な表示機能付き間仕切装置を提供する点にある。
【０００７】
【課題を解決するための手段】
本発明は、前述の課題解決のために、支柱や横桟によって形成された支持フレームの表裏両面にパネル板を取付けてなる間仕切装置であって、スクリーン、ホワイトボード、黒板、掲示板、フラットディスプレイから選ばれた１種又は２種以上の表示機能を備えた表示パネルを、前記パネル板と共に支持フレームに取付けるとともに、前記表示パネルの下縁に沿った支持フレーム内の空間に筆記具等の収容部を設け且つ該収容部の前面を覆う開閉可能なカバーパネルを設け、前記表示パネルとカバーパネルを前記パネル板と略面一になるように設定した表示機能付き間仕切装置を構成した。
【０００８】
この場合、前記表示パネルがホワイトボードを兼用したスクリーンパネルであることが好ましい。
【０００９】
ここで、前記スクリーンパネルは、アルミホーロー鋼板の周囲を鍔付きのエッジ部材で外覆し、前記エッジ部材の鍔を利用して前記支持フレームに取付けてなることがより好ましい。
【００１０】
更に、前記スクリーンパネルは、少なくともアルミホーロー鋼板の上下端を裏面側に折曲して、前記パネル板と同程度の厚さを有する上下縁部を形成し、該上下縁部をエッジ部材で外覆してなることが好ましい。
【００１１】
【発明の実施の形態】
次に本発明の実施の形態を添付図面に基づき更に詳細に説明する。図１は、本発明に係る表示機能付き間仕切装置を示し、図２〜図６はその構造を示し、図中符号１は天レール、２は地レール、３は支柱、４は横桟、５はパネル板、６は表示パネル、７は収容部、８はカバーパネルをそれぞれ示している。
【００１２】
本実施形態に係る間仕切装置は、天レール１と地レール２との間に所定間隔を隔てて複数の支柱３，…を立設するとともに、隣接する支柱３，３間に横桟４を連結して支持フレームＡを構成し、この支持フレームの表裏両面にパネル板５，…を取付けた基本構成を有している。そして、本発明に係る表示機能付き間仕切装置は、一部のパネル板５の代わりに、スクリーン、ホワイトボード、黒板、掲示板、フラットディスプレイから選ばれた１種又は２種以上の表示機能を備えた表示パネル６を、前記パネル板５と共に支持フレームＡに取付けるとともに、前記表示パネル６の下縁に沿った支持フレームＡ内の空間に筆記具等の収容部７を設け且つ該収容部７の前面を覆う開閉可能なカバーパネル８を設け、前記表示パネル６とカバーパネル８を前記パネル板５と略面一になるように設定したことを特徴としている。
【００１３】
更に詳しくは、前記間仕切装置は、図２に示すように、断面略コ字形の天レール１と地レール２をそれぞれ天井と床面にアンカーボルト等によって取付け、それから図４に示すように、前記支柱３の下部に設けたアジャスター１０を地レール２の凹溝内に立て、前記支柱３の上部に設けた高さ調整部材１１を前記天レール１の凹溝内に嵌合して、前記天レール１と地レール２間に当該支柱３を立起状態に保持する。この支柱３を所定間隔毎に立設し、隣接する支柱３，３間の上下に複数の横桟４，…を連結して、支柱３，３の間隔を正確に規定するとともに、全体として前記支持フレームＡを構成している。
【００１４】
また、通常は、図１及び図５に示すように、前記天レール１と地レール２の間は、所定高さのパネル板５と、その上部に取付ける高さを任意に設定可能な欄間パネル板５Ａとで覆われている。尚、図６で示すように、欄間パネル板５Ａの代わりにガラス板１２を取付けることも可能であり、その場合には、前記天レール１と最上段の横桟４にガラス板保持枠１３，１４を取付ける。
【００１５】
また、前記パネル板５や欄間パネル板５Ａは、図３に示すように、両側縁に断面略Ｊ字形の固定片１５，１５を形成し、隣接するパネル板５，５の両固定片１５，１５を、断面略コ字形の連結部材１６の両端縁で前記支柱３との間に挟み込み、該連結部材１６を支柱３にネジ止めすることによって支持フレームＡに取付ける構造となっている。また、両パネル板５，５の間には、目地部材１７を嵌合して前記連結部材１６を隠蔽している。前記欄間パネル板５Ａも同様な構造である。前記パネル板５や欄間パネル板５Ａは、スチール製の表面板の周囲を裏面側へ折曲し、特に両側縁には前記固定片１５，１５を形成し、更に裏面側には石膏ボードを貼着した構造である。ここで、前記欄間パネル板５Ａは、上下の適当な位置で切断して使用できるようになっている。
【００１６】
次に、本発明を更に詳しく説明する。前記表示パネル６を設ける部分には、下部に高さの低いパネル板５Ｂを取付ける。このパネル板５Ｂは、前記パネル板５と構造的には全く同じである。前記表示パネル６は、スクリーン、ホワイトボード、黒板、掲示板、フラットディスプレイから選ばれた１種又は２種以上の表示機能を備えたものであり、本実施形態ではホワイトボードを兼用したスクリーンパネルとしている。このスクリーンパネル６は、図２、図３に示すように、アルミホーロー鋼板１８の周囲を鍔付きのエッジ部材１９で外覆し、前記エッジ部材１９の鍔２０を利用して前記支持フレームＡに取付けている。
【００１７】
前記アルミホーロー鋼板１８としては、タカラスタンダード株式会社のハイセラール（登録商標）、ＳＢ１００無地（厚さ０．４ｍｍ）を使用したが、これと同等のものであれば採用し得る。そして、前記スクリーンパネル６は、前記アルミホーロー鋼板１８の上下端を裏面側に折曲して、前記パネル板５と同程度の厚さを有する上下縁部２１，２１を形成し、該上下縁部２１，２１を前記エッジ部材１９，１９で外覆し、両側端は切りっ放しとし、その裏面側にチャンネル状の補強枠２２，２２を、両面粘着テープで粘着する等適宜な固定手段にて取付けるとともに、アルミホーロー鋼板１８の両端部と補強枠２２，２２をそれぞれ前記エッジ部材１９，１９で外覆した構造となっている。ここで、前記アルミホーロー鋼板１８は、通常は直角に曲げ加工することは想定されてなく、その折曲部にクラックが発生するが、このクラックは前記エッジ部材１９で外覆できるのである。
【００１８】
前記エッジ部材１９は、全体として断面略Ｔ字形を有するアルミニウム製の押し出し型材であり、外側に前記鍔２０を延設し、内側に前記アルミホーロー鋼板１８の上下縁部２１又はアルミホーロー鋼板１８の両端部と補強枠２２を外嵌する嵌合部２３を有し、該嵌合部２３内にそれらを両面粘着テープで粘着する等適宜な固定手段にて取付けている。
【００１９】
また、前記スクリーンパネル６は、前記アルミホーロー鋼板１８の裏面側に石膏ボード６Ａを貼着若しくは接着し、パネル強度を高めるとともに、間仕切装置本来のパネル板と同じ防音機能をも有している。
【００２０】
そして、前記スクリーンパネル６は、周囲にエッジ部材１９の鍔２０を有するので、この鍔２０を利用して前記支持フレームＡに取付けている。先ず、前記スクリーンパネル６の両側部の鍔２０，２０は、それぞれ隣接するパネル板５を取付ける前記連結部材１６の一端縁と支柱３の前面とで挟持され、上部の鍔２０は前記欄間パネル板５Ａの下端部裏面に係止し、下部の鍔２０は後述の収納部７を形成するチャンネル部材２４の上縁保持片２５と横桟４との間に挟持して取付けている。ここで、前記スクリーンパネル６は、支持フレームＡへ取付けた状態において、前記パネル板５と略面一になるように厚さが設定されている。
【００２１】
また、前記スクリーンパネル６（表示パネル）の下縁に沿って形成される収納部７は、前記チャンネル部材２４を上下の横桟４，４の間で両支柱３，３間に連結することで設けられる。即ち、前記チャンネル部材２４は、図２、図７及び図８に示すように、前方へ開放した断面略コ字形の凹溝部２６の上端前縁に前記保持片２５を立ち上げ形成するとともに、下端前縁を下方へ折曲して断面略Ｌ字形の補強縁２７を形成し、両端部には端部部材２８，２８を固着した構造である。そして、前記端部部材２８に形成した取付片２９を、隣接するパネル板５を取付ける前記連結部材１６の一端縁と支柱３の前面とで挟持して取付けている。
【００２２】
そして、前記チャンネル部材２４の下部には、補強縁２７に開口３０を通してヒンジ部材３１を挿入し、前記凹溝部２６の下面にネジ止めして取付け、該ヒンジ部材３１に、前記カバーパネル８の下端部を枢支している。尚、前記カバーパネル８の下端をチャンネル部材２４の下部に水平軸に対して回転可能に連結する構造は任意である。このように下部が前記ヒンジ部材３１で枢支されたカバーパネル８は、収納部７を閉止時には前記チャンネル部材２４の保持片２５の前面に添設したマグネットラバー３２に上縁補強筒部３３が吸着され、その状態を維持するようになっている。この状態で、前記カバーパネル８は、前記パネル板５と略面一になるように取付けられている。そして、前記カバーパネル８の中央部に設けた把手部３４を引いて開放し、前記収納部７を使用する。
【００２３】
また、前記表示パネルとしてスクリーンパネル６の代わりに、通常の黒板や掲示板を用いることも勿論可能であり、更に液晶パネルやプラズマディスプレイ等のフラットディスプレイを用い、間仕切装置に一体的に組込むことも可能である。尚、フラットディスプレイの場合で、厚さが大きい場合には支持フレームＡの内部空間も利用して組込むことが可能である。この場合、前記収納部７にはフラットディスプレイの操作装置を収容することになる。
【００２４】
また、本発明においては、間仕切装置の構造は特に限定されるものではなく、前述の両面パネルタイプ以外にも、壁面に沿って設ける片面パネルタイプのものにも適用できるのである。
【００２５】
【発明の効果】
以上にしてなる請求項１に係る発明の表示機能付き間仕切装置は、支柱や横桟によって形成された支持フレームの表裏両面にパネル板を取付けてなる間仕切装置であって、スクリーン、ホワイトボード、黒板、掲示板、フラットディスプレイから選ばれた１種又は２種以上の表示機能を備えた表示パネルを、前記パネル板と共に支持フレームに取付けるとともに、前記表示パネルの下縁に沿った支持フレーム内の空間に筆記具等の収容部を設け且つ該収容部の前面を覆う開閉可能なカバーパネルを設け、前記表示パネルとカバーパネルを前記パネル板と略面一になるように設定したので、スクリーン、ホワイトボード、黒板、掲示板、フラットディスプレイ等の表示機能と、筆記具やマーカー等を収容する収容部とを一体的に組込むとともに、これらがパネル板と略面一になるように設けて出っ張りを無くし、空間の有効利用と外観性の向上を図ることができる。
【００２６】
請求項２によれば、投影用スクリーンとしても、ホワイトボードとしても利用でき、異なる複数の表示機能を実現できるので、非常に使用勝手がよく、しかも経済的である。
【００２７】
請求項３によれば、アルミホーロー鋼板を用いることにより、表示面に傷が付き難くなり、また汚れに対しても拭き取りが容易であり、しかも支持フレームへのスクリーンパネルの取付けが極めて容易であり、またスクリーンパネルの強度も高いものとなる。
【００２８】
請求項４によれば、アルミホーロー鋼板を曲げ加工することで、簡単な構造で曲げ強度を高めることができ、しかも曲げ加工した部分に発生するクラックをエッジ部材で外覆するので、外観性に優れたものとなる。
【図面の簡単な説明】
【図１】本発明に係る表示機能付き間仕切装置の簡略正面図である。
【図２】同じく要部の縦断面図である。
【図３】図１のＸ−Ｘ線断面図である。
【図４】支柱の省略斜視図である。
【図５】本実施形態に係る間仕切装置の基本構造を示す省略斜視図である。
【図６】上部にガラス板を取付けた間仕切装置を示す省略斜視図である。
【図７】本発明の要部の拡大縦断面図である。
【図８】収納部とカバーパネルの構造を示す部分分解斜視図である。
【図９】同じく一部所略した正面図である。
【符号の説明】
１  天レール          ２  地レール
３  支柱              ４  横桟
５，５Ｂ  パネル板    ５Ａ  欄間パネル板
６  スクリーンパネル（表示パネル）
７  収納部            ８  カバーパネル
１０  アジャスター    １１  調整部材
１２  ガラス板        １３，１４  ガラス板保持枠
１５  固定片          １６  連結部材
１７  目地部材        １８  アルミホーロー鋼板
１９  エッジ部材      ２０  鍔
２１  上下縁部        ２２  補強枠
２３  嵌合部          ２４  チャンネル部材
２５  保持片          ２６  凹溝部
２７  補強縁          ２８  端部部材
２９  取付片          ３０  開口
３１  ヒンジ部材      ３２  マグネットラバー
３３  補強筒部        ３４  把手部
Ａ  支持フレーム
【図１】
2004300835.tif 000003
【図２】
2004300835.tif 000004
【図３】
2004300835.tif 000005
【図４】
2004300835.tif 000006
【図５】
2004300835.tif 000007
【図６】
2004300835.tif 000008
【図７】
2004300835.tif 000009
【図８】
2004300835.tif 000010
【図９】
2004300835.tif 000011